(57)【特許請求の範囲】
【請求項１】
並列状に配置された複数の梁（２）にタイトフレーム（４）を介して、凹面（６ｂ）が交互に形成された略波形の金属の折板（６）を、前記凹面（６ｂ）の長手方向が前記梁（２）と直交するように、取り付けた外囲体において、前記折板（６）の凹面（６ｂ）に発泡プラスチック材などから成る断熱・防音材（８）をその上面が前記折板（６）の頂部（６ａ）より若干高く且つ各上面が互いに同一平面となるように嵌合充填配置し、前記折板（６）上に、複数の前記凹面（６ｂ）を横切って金属製の、取付平板部（１２ａ）と該取付平板部（１２ａ）に対して直角な側板部（１２ｂ）を有する細長板状部材からなる力板（１２）を架設し、該力板（１２）の取付平板部（１２ａ）を断熱・防音材（８）の上面に水平に対接し、前記側板部（１２ｂ）を前記断熱・防音材（８）に埋設し、前記力板（１２）に、下部ベース（１６ａ）と直立部（１６ｂ）とからなる吊子（１６）の下部ベース（１６ａ）を固定し、前記断熱・防音材（８）の表面に帯状の金属板からなり平板部（２０ａ）の両側部に該平板部（２９ａ）に対して直角な立ち上がり部（２０ｂ）が形成された複数の外囲板（２０）を敷設し、隣接する外囲板（２０）の側部を前記吊子（１６）の直立部（１６ｂ）に固定し、前記外囲板（２０）を前記断熱・防音材（８）の表面上に載置し、該断熱・防音材（８）の表面に防水外囲面を形成したことを特徴とする外囲体。
【請求項２】
並列状に配置された複数の梁（２）にタイトフレーム（４）を介して、凹面（６ｂ）が交互に形成された略波形の金属の折板（６）を、前記凹面（６ｂ）の長手方向が前記梁（２）と直交するように、取り付けた外囲体において、前記折板（６）の凹面（６ｂ）に発泡プラスチック材などから成る断熱・防音材（８）をその上面が前記折板（６）の頂部（６ａ）より若干高く且つ各上面が互いに同一平面となるように嵌合充填配置し、前記折板（６）上に、複数の前記凹面（６ｂ）を横切って金属製の、取付平板部（１２ａ）と該取付平板部（１２ａ）に対して直角な側板部（１２ｂ）を有する細長板状部材からなる力板（１２）を架設し、該力板（１２）の取付平板部（１２ａ）を断熱・防音材（８）の上面に水平に対接し、前記側板部（１２ｂ）を前記断熱・防音材（８）に埋設し、前記断熱・防音材（８）の表面に防水シート材から成る下敷きシート（２４）を敷設し、前記下敷きシート（２４）の上からディスク（２２）を前記力板（１２）の表面に固着し、前記下敷きシート（２４）の上に防水シート（２６）を敷設し、該防水シート（２６）の下面を前記ディスク（２２）に接着し、前記断熱・防音材（８）の表面に防水外囲面を形成したことを特徴とする外囲体。
【発明の詳細な説明】
【０００１】
【発明の属する技術分野】
本発明は、屋根や外壁などに用いられる断熱型の外囲体に関する。
【０００２】
【従来の技術分野】
タイトフレームを介して梁に取り付けられた波形の折板の凹面にグラスウールや発泡プラスチックなどの断熱・防音材を嵌合充てん配置し、この折板の上に合板などの下地ボードを配置し、この下地ボードの上に金属板から成る外囲板を複数並列に敷設した外囲体が、特開平９−１２５６０８号公報に開示されている。
また、断熱・防音材の上面に溝を形成し、この溝にガーターを嵌合配置するとともに、断熱・防音材の平坦面に金属板から成る外囲板を複数敷設した外囲体が特開平９−１２５６０３号公報に開示されている。
【０００３】
【発明が解決しようとする課題】
断熱・防音材の上に下地ボードを敷設する工法の外囲体は、コスト高となるとともに、下地ボード敷設作業が容易でないという問題点があった。
また、断熱・防音材に溝を設け、この溝にガーターを嵌合配置する工法の外囲体は、溝を形成する作業が容易でなく、コスト高の原因となるとともに、溝内のガーターを安定的に保持することができないという問題点がある。
本発明は、上記問題点を解決することを目的とするものである。
【０００４】
【課題を解決するための手段】
上記目的を達成するため、本発明は、並列状に配置された複数の梁（２）にタイトフレーム（４）を介して、凹面（６ｂ）が交互に形成された略波形の金属の折板（６）を、前記凹面（６ｂ）の長手方向が前記梁（２）と直交するように、取り付けた外囲体において、前記折板（６）の凹面（６ｂ）に発泡プラスチック材などから成る断熱・防音材（８）をその上面が前記折板（６）の頂部（６ａ）より若干高く且つ各上面が互いに同一平面となるように嵌合充填配置し、前記折板（６）上に、複数の前記凹面（６ｂ）を横切って金属製の、取付平板部（１２ａ）と該取付平板部（１２ａ）に対して直角な側板部（１２ｂ）を有する細長板状部材からなる力板（１２）を架設し、該力板（１２）の取付平板部（１２ａ）を断熱・防音材（８）の上面に水平に対接し、前記側板部（１２ｂ）を前記断熱・防音材（８）に埋設し、前記力板（１２）に、下部ベース（１６ａ）と直立部（１６ｂ）とからなる吊子（１６）の下部ベース（１６ａ）を固定し、前記断熱・防音材（８）の表面に帯状の金属板からなり平板部（２０ａ）の両側部に該平板部（２０ａ）に対して直角な立ち上がり部（２０ｂ）が形成された複数の外囲板（２０）を配置し、隣接する外囲板（２０）の側部を前記吊子（１６）の直立部（１６ｂ）に固定し、前記外囲板（２０）を前記断熱・防音材（８）の表面上に載置し、該断熱・防音材（８）の表面に防水外囲面を形成したものである。
また、上記目的を達成するため、本発明は、並列状に配置された複数の梁（２）にタイトフレーム（４）を介して、凹面（６ｂ）が交互に形成された略波形の金属の折板（６）を、前記凹面（６ｂ）の長手方向が前記梁（２）と直交するように、取り付けた外囲体において、前記折板（６）の凹面（６ｂ）に発泡プラスチック材などから成る断熱・防音材（８）をその上面が前記折板（６）の頂部（６ａ）より若干高く且つ各上面が互いに同一平面となるように嵌合充填配置し、前記折板（６）上に、複数の前記凹面（６ｂ）を横切って金属製の、取付平板部（１２ａ）と該取付平板部（１２ａ）に対して直角な側板部（１２ｂ）を有する細長板状部材からなる力板（１２）を架設し、該力板（１２）の取付平板部（１２ａ）を断熱・防音材（８）の上面に水平に対接し、前記側板部（１２ｂ）を前記断熱・防音材（８）に埋設し、前記断熱・防音材（８）の表面に防水シート材から成る下敷きシート（２４）を敷設し、前記下敷きシート（２４）の上からディスク（２２）を前記力板（１２）の表面に固着し、前記下敷きシート（２４）の上に防水シート（２６）を敷設し、該防水シート（２６）の下面を前記ディスク（２２）に接着し、前記断熱・防音材（８）の表面に防水外囲面を形成したものである。
【０００５】
【発明の実施の形態】
以下に本発明の好適な実施の形態を添付図面を参照して説明する。
図１において、（２）は建築物の骨格材である梁であり、複数のＨ型鋼或いはＩ型鋼により構成されている。前記梁（２）の上位水平部（２ａ）にはタイトフレーム（４）が固定されている。（６）は金属の折板であり、凹面（６ｂ）と頂部（６ａ）が交互に並列状に表れ、断面形状が略波形に形成されている。前記梁（２）は、折板（６）の複数の凹面（６ｂ）を横切る方向に配置されている。
【０００６】
複数の波形の折板が梁（２）上に並列状に、一部が重なるように配置され、各折板（６）は、ボルト（１０）によってタイトフレーム（４）の頂部に固定されている。波形折板（６）の凹面（６ｂ）には、断熱・防音材（８）が充てん配置されている。前記断熱・防音材（８）は軽量、安価で、変形、切断加工が容易な例えばグラスウールや、ポリエチレンフォームなどの発泡プラスチックなどが用いられている。
【０００７】
前記断熱・防音材（８）は、その上面が波形折板（６）の頂部（６ａ）より若干高く、各上面は互いに同一平面となるように形成されている。（１２）は断面がＬ型の細長状の鋼板から成る力板であり、帯状の取付平板部（１２ａ）と、これに対して直角な帯状の側板部（１２ｂ）とから構成されている。前記力板（１２）は、複数、互いに所定間隔を在して、前記梁（２）と平行に配置されている。力板（１２）の取付平板部（１２ａ）は、断熱・防音材（８）の上面に水平に対接し、側板部（１２ｂ）が、断熱・防音材（８）に埋没された状態で、取付平板部（１２ａ）がねじ（１４）によって、折板（６）の頂部（６ａ）に固定されている。
【０００８】
前記断熱・防音材（８）の各々は、断面形状が略三角形に形成され、各上面が互いに隣接し、各上面は、折板（６）の頂部（６ａ）より若干高い同一平面を構成している。（１６）は、細長状の金属板から成る吊子であり、図５に示すように、下部ベース（１６ａ）と、直立部（１６ｂ）とから成り、前記力板（１２）に対して直角となるように、複数、所定の間隔を在して、断熱・防音材（８）の上面に配置され、図５に示すように、下部ベース（１６ａ）がねじ（１８）によって、力板（１２）の取付平板部（１２ａ）に固定されている。
【０００９】
（２０）は、外囲板であり、帯状の鋼板あるいは銅板等の金属板により構成され、複数用意されている。各外囲板（２０）の平板部（２０ａ）の両側部には、該平板部（２０ａ）に対して直角な立ち上り部（２０ｂ）が形成されている。各外囲板（２０）は、並列状に、断熱・防音材（８）の表面上に載置され、各々の側部の立ち上り部（２０ｂ）が対応する吊子（１６）に当接される。これにより、図５に示すように、吊子（１６）の直立部（１６ｂ）の両側面には、隣接する外囲板（２０）の立ち上り部（２０ｂ）（２０ｂ）が当接される。
【００１０】
該状態において、吊子（１６）の直立部（１６ｂ）とこれに合接する一対の立ち上り部（２０ｂ）（２０ｂ）の上部は作業者によって折り曲げられ、、隣接する外囲板（２０）（２０）の立ち上り部（２０ｂ）（２０ｂ）は、吊子（１６）の直立部（１６ｂ）に固着される。このようにして、一対の外囲板（２０）（２０）の隣接部は、吊子（１６）を介して互いに接合固着され、断熱・防音材（８）の表面に防水外囲面が形成される。
【００１１】
次に他の実施の形態を、図６乃至図８を参照して説明する。
梁（２）、折板（６）、断熱・防音材（８）及び力板（１２）から成る下地構造は、図１乃至図５で説明した第１の実施の形態の下地構造と同一であり、対応する部分は同一の符号を付し、これらの説明を省略する。
【００１２】
（２２）はディスクであり、断熱・防音材（８）の表面の上に敷込まれた特殊配合の軟質塩化ビニール等から成る下敷シート（２４）の上から、力板（１２）の取付平板部（１２ａ）の表面にねじにより固着されている。
前記下敷きシート（２４）の上には、複数枚の、軟質塩化ビニール等から成る防水シート（２６）が敷込まれ、各防水シート（２６）の接合部は接着剤により接着される。
【００１３】
前記防水シート（２６）の、前記ディスク（２２）と接する下面部分は、注入器を用いて、溶着剤により、前記ディスク（２２）に溶着される。更に、防水シート（２６）同しの接合部は、シーリング剤が塗着されシールされる。
尚、本発明の実施に際し、隣接する外囲板（２０）の側部を吊子（１６）に固定する構造は、種々の構造のものが在するため、図示する縦ハゼ式に特に限定されるものではない。
【００１４】
本発明は上述の如く構成したので、Ｈ型鋼などの梁とこれに取り付けられた波形折板を備えた外囲体の断熱防音効果を高めることができるとともに、外囲板あるいは防水シートは、折板に架設された力板にしっかりと支持されるので、防水外囲面を強固に構築できる等の効果が存する。
【図面の簡単な説明】
【図１】本発明である外囲体の要部の外観図である。
【図２】本発明である外囲体の要部の断面図である。
【図３】図２のＡ−Ａ線断面図である。
【図４】本発明である外囲体の下地構造を示す外観である。
【図５】外囲板の接合機構を示す断面図である。
【図６】本発明の他の実施の形態を示す外観図である。
【図７】同上断面図である。
【図８】図７のＢ−Ｂ線断面図である。
【符号の説明】
２      梁
４      タイトフレーム
６      折板
６ｂ    凸面
６ａ    頂部
８      断熱・防音材
１０    ボルト
１２    力板
１２ａ  取付平板部
１２ｂ  側板部
１４    ねじ
１６    吊子
１６ａ  下部ベース
１６ｂ  直立部
１８    ねじ
２０    外囲板
２２    ディスク
２４    下敷シート
【図１】
0004176876.tif 000002
【図２】
0004176876.tif 000003
【図３】
0004176876.tif 000004
【図４】
0004176876.tif 000005
【図５】
0004176876.tif 000006
【図６】
0004176876.tif 000007
【図７】
0004176876.tif 000008
【図８】
0004176876.tif 000009